(57)【要約】【課題】内袋の通気性を高めることなくより多くの空気を発熱性組成物に接触させて、発熱温度を高める発熱具を提供する。【解決手段】発熱具１は、空気と接触することで発熱する発熱性組成物２と、発熱性組成物２を封入する内袋３と、内部に空気を含ませることが可能であり、変形して空気を吸放出する空気吸放出材４と、を備える。内袋２の体積Ｖ１あたりの空気吸放出材４の前記空間の体積Ｖ２の割合Ｖ２／Ｖ１が０．１１以上である。【選択図】図２
2019010447.tif 000002
【特許請求の範囲】
【請求項１】
空気と接触することで発熱する発熱性組成物と、
通気性を有し、前記発熱性組成物を封入する内袋と、
内部に空気を含ませることが可能な空間を有し、変形して空気を吸い込む及び／又は放出する空気吸放出材と、を備え、
前記内袋の内部空間の体積Ｖ１に占める前記空気吸放出材の前記空間の体積Ｖ２の割合Ｖ２／Ｖ１が０．１１以上である発熱具。
る発熱具。
【請求項２】
前記空気吸放出材がスポンジである請求項１に記載の発熱具。
【請求項３】
前記スポンジがウレタンスポンジである請求項２に記載の発熱具。
【発明の詳細な説明】
【技術分野】
【０００１】
本発明は、例えば使い捨てカイロなどの発熱具に関するものである。
【背景技術】
【０００２】
身体などを温めるための発熱具として、従来から使い捨てカイロが用いられており（例えば特許文献１を参照）、携帯性、安全性、簡便性などに優れかつ安価であるために頻用されている。
【０００３】
一般的な使い捨てカイロは、通気性を有する内袋に空気と接触することで発熱する発熱性組成物を封入したものである。使い捨てカイロを手に持って揉むことで、空気が内袋内の発熱性組成物にほぼ均一に接触して発熱性組成物が発熱し、この発熱原理によって温熱効果を発揮している。
【先行技術文献】
【特許文献】
【０００４】
【特許文献１】特開平５−２０８０３１号公報
【発明の概要】
【発明が解決しようとする課題】
【０００５】
かかる使い捨てカイロは、発熱性組成物に接触させる空気の量を調整することにより、発熱温度が制御されている。例えば、内袋の材質として合成樹脂フィルムを用いた場合には、内袋に通気性を付与するために合成樹脂フィルムに穿孔が設けられるが、この穿孔の大きさ・数により発熱性組成物と接触する空気の量が調整される。
【０００６】
ここで、使い捨てカイロは、使用する環境の温度が低くなるに連れて、発熱温度が低下する。そのため、より高い発熱温度を得ようとすると、内袋の通気性を高めてより多くの空気を発熱性組成物に接触させる必要がある。そこで、内袋の穿孔の大きさ・数を増大させると、内部の発熱性組成物が内袋から漏れ出すという課題がある。また、内袋の通気性を高めると、使い捨てカイロを使用しないとき（例えばポケットなどに入れているだけのとき）も、多くの空気が発熱性組成物に接触して発熱性組成物が多分に発熱するため、使い捨てカイロの発熱温度が常に高温になるうえ、室内など比較的温度の高い環境で使用するときに熱くなり過ぎるというという課題もある。このように、従来の使い捨てカイロは、使用場面や使用環境に応じて適温に調節することができないという課題がある。
【０００７】
本発明は、上記した課題に着目してなされたもので、内袋の通気性を高めることなく、必要な時に発熱温度を上げることで、使用場面や使用環境に応じて適温に調節することができる発熱具を提供することを目的とする。
【課題を解決するための手段】
【０００８】
本発明の上記目的は、空気と接触することで発熱する発熱性組成物と、通気性を有し、前記発熱性組成物を封入する内袋と、内部に空気を含ませることが可能な空間を有し、変形して空気を吸い込む及び／又は放出する空気吸放出材と、を備え、前記内袋の内部空間の体積Ｖ１に占める前記空気吸放出材の前記空間の体積Ｖ２の割合Ｖ２／Ｖ１が０．１１以上である発熱具により達成される。
【０００９】
上記構成の発熱具は、前記空気吸放出材がスポンジであることが好ましく、前記スポンジがウレタンスポンジであることがより好ましい。
【発明の効果】
【００１０】
本発明の発熱具によれば、使用時に使用者が発熱具を手に持って揉むことで、空気吸放出材が手より加えられる外力の作用により変形して、内部の空気を外部に放出する及び／又は外部の空気を内部に吸い込む。これにより、より多くの空気が発熱性組成物に接触するので、内袋の通気性を高めることなく、発熱具の発熱温度を上げることができる。このとき、内袋の内部空間の体積Ｖ１に占める空気吸放出材内の空間の体積Ｖ２の割合Ｖ２／Ｖ１が０．１１以上となっていることで、発熱性組成物の発熱量を最大限に大きくすることができる。よって、発熱具の発熱温度を非常に高温にすることができ、発熱具を使用する環境の温度が低くても、高い発熱温度により良好に温熱を与えることができる。さらに、内袋の通気性を高める必要がないので、発熱具を使用しない又は高温環境下で発熱具を揉まないで使用するときに、発熱具の発熱温度が上がり過ぎることがない。よって、使用場面や使用環境に応じて適温に調節することができる。
【図面の簡単な説明】
【００１１】
【図１】本発明の一実施形態に係る発熱具の平面図である。
【図２】図１の断面図である。
【図３】発熱具の使用状態を示す説明図である。
【図４】空気吸放出材の一例であるスポンジの斜視図である。
【図５】多孔質体内の空間の体積を測定する方法の一例を示す説明図である。
【図６】本発明の他の実施形態に係る発熱具の断面図である。
【図７】発熱具の発熱温度の温度変化を示すグラフである。
【図８】発熱具の発熱温度の温度変化を示すグラフである。
【図９】発熱具の発熱温度の温度変化を示すグラフである。
【発明を実施するための形態】
【００１２】
以下、本発明に係る発熱具の実施形態について図面を参照しつつ説明する。発熱具１は、図１及び図２に示すように、発熱性組成物２と、内袋３と、空気吸放出材４と、を備える。本実施形態の発熱具１は、内袋３に発熱性組成物２及び空気吸放出材４が封入されている。この発熱具１としては、例えば使い捨てカイロを挙げることができ、手に持って手足や腰部、背中、腹、足の裏、肩、臀部など身体の種々の部位に当てることで温熱を与えることができる。発熱具１は、使用前においては、気密性を有する外袋（図示せず）に収容されている。
【００１３】
発熱性組成物２は、空気との接触により発熱するものである。発熱性組成物２としては、例えば、被酸化性金属、活性炭、カーボンブラック、保水剤（木粉、バーミキュライト、けい藻土、パーライト、シリカゲル、アルミナ、吸水性樹脂など）、金属塩（食塩など）及び水をそれぞれ適宜の含有量含む、従来から使い捨てカイロに用いられている公知の組成物を使用することができる。
【００１４】
内袋３は、平面視長方形状の表面及び裏面を有する扁平な袋状をなし、内部に発熱性組成物２を封入できる内部空間を有する。内袋３は、本実施形態では、表裏面をなす２枚の平面視長方形状の第１シート材３０及び第２シート材３１を重ね合わせ、四つの側縁を公知の接着剤を用いてシール（接合）する、あるいは熱接合（ヒートシール）することによって袋状に形成される。なお、１枚のシート材を折り曲げて重ね合わせ、三つの側縁を接着剤によるシール（接合）あるいは熱接合（ヒートシール）することによって袋状に形成してもよい。
【００１５】
両シート材３０，３１は、発熱具１が手で揉みほぐされたり身体にフィットしたりするように可撓性を有している。両シート材３０，３１のうち、少なくとも一方の第１シート材３０は通気性を有している。
【００１６】
第１シート材３０としては、強度や発熱性組成物２の発熱に対する耐久性などを考慮すると樹脂フィルムを用いることが好ましい。樹脂フィルムに使用される樹脂は、特に制限されるものではないが、熱可塑性樹脂を使用することが好ましい。熱可塑性樹脂としては、ポリエチレン、ポリプロピレン、ポリエステル、ポリアミド、ポリウレタン、ポリスチレン、ポリビニルアルコール、ポリ塩化ビニル、ポリ塩化ビニリデン、ポリカーボネート、エチレン−酢酸ビニル共重合体などを例示することができるが、その中でもポリエチレン、ポリプロピレン、エチレン酢酸ビニル共重合体を好ましく例示することができる。これらの樹脂は単独で使用してもよく、２種以上を組み合わせて使用してもよい。
【００１７】
第１シート材３０に用いる樹脂フィルムには、通気性を確保するために、複数の穿孔（図示せず）が形成されており、複数の穿孔を介して空気が内袋３の内外を連通する。穿孔は、樹脂フィルムの全域に均等に形成されていてもよいし、一部に密集して形成されていてもよい。また、穿孔の大きさは、発熱性組成物２の内袋３外部への漏出を防止できる程度の大きさであれは特に制限されないが、０．１ｍｍ以上０．３ｍｍ以下を好ましく例示することができる。穿孔の外形及び数も特に制限されず、穿孔の大きさ、形状、数は、内袋３の通気度に応じた使用時の発熱具１の体感温度を考慮して、適宜設定される。樹脂フィルムに穿孔を形成する方法は、従来公知の方法を用いることができる。
【００１８】
また、第１シート材３０は、発熱具１の肌触りを良好とすることを考慮すれば、通気性を有する織布又は不織布をさらに用い、樹脂フィルムに織布又は不織布を積層されてなる積層体により構成することが好ましい。この場合には、発熱性組成物２側となる内側に樹脂フィルムが、外側に織布又は不織布が配置される。
【００１９】
通気性を備えた織布又は不織布の繊維素材としては、ナイロン、ビニロン、ポリエステル、レーヨン、アクリル、ポリエチレン、ポリプロピレン、アセテート、ポリ塩化ビニル、ポリブチレンテレフタレートなどの合成繊維、綿、麻、絹、紙などの天然繊維、また、合成繊維と天然繊維との混合繊維などを例示することができる。その中でも、肌触りを良好とする観点から、繊維素材としてはナイロン、ポリエステル、ポリプロピレンなど、より好ましくはナイロン、ポリエステルを例示することができる。これらの繊維素材は単独で使用してもよく、２種以上を組み合わせて使用してもよい。織布又は不織布の目付は、発熱性組成物２の内袋３外部への漏出を防止できる程度の目付であれば特に制限されないが、２０ｇ／ｍ２以上７０ｇ／ｍ２以下を好ましく例示することができる。
【００２０】
他方の第２シート材３１は、上述した第１シート材３０と同様に、樹脂フィルム単体もしくは樹脂フィルムに織布又は不織布を積層させてなる積層体により構成することができる。樹脂フィルムに使用される樹脂、及び、織布又は不織布の繊維素材としては、第１シート材３０で例示したものと同じものを好ましく例示することができる。第２シート材３１を構成する樹脂フィルムには通気性確保のための穿孔を形成してもよいし、形成しなくてもよい。
【００２１】
第１シート材３０及び第２シート材３１の厚みは、特に制限されるものではないが、厚みが小さいほど発熱具１を柔らかくかつ手になじみやすくできる一方で、厚みが小さすぎると内袋３の強度が低下するため、０．１ｍｍ以上２．０ｍｍ以下程度であることが好ましい。
【００２２】
空気吸放出材４は、内部に空気を含ませることが可能な空間を有しており、変形して前記空間内の空気を吐き出して外部に放出する及び／又は外部の空気を吸い込んで前記空間内に空気を取り入れるものである。具体的に、空気吸放出材４は、収縮変形に伴い内部の空気を外部に放出し、膨張変形に伴い外部の空気を内部に吸い込む。空気吸放出材４は、外力の作用によりその都度、圧縮変形と膨張変形とを繰り返して空気を吸放出するものであってもよいが、弾力性を有することで、外力が取り除かれると元の形に戻ろうとすることが好ましい。これにより、外力の付加により一旦、収縮変形（あるいは圧縮変形）して内部の空気を外部に放出した（あるいは外部の空気を内部に吸い込んだ）後、外力の除去により自動的に膨張復元（あるいは収縮復元）して、外部の空気を内部に吸い込む（内部の空気を外部に放出する）ことができる。なお、弾力性としては、外力が加わって変形した空気吸放出材４が、元の形に戻ろうとする性質であればよく、必ずしも元の形に完全に戻る性質までは必要としない。また、空気吸放出材４は、容易に変形するよう柔軟性をさらに有していることが好ましい。
【００２３】
上述した構成の発熱具１では、図３に示すように、使用時に使用者が発熱具１を手に持って握ることで、空気吸放出材４が手より加えられる外力の作用により変形（例えば収縮）し、これにより、空気吸放出材４内の空気が外部に放出される。この空気吸放出材４から放出された空気は内袋３外に通気するが、このとき、発熱性組成物２と空気とが接触する。また、使用者が発熱具１を持った手を開くと、空気吸放出材４は手による外力が取り除かれることで元の形に戻ろうと変形（例えば膨張）し、これにより、内袋３外の空気が内袋３内に通気して空気吸放出材４に吸い込まれるが、このとき、発熱性組成物２と空気とが接触する。発熱具１を揉むことでこの動作が繰り返し行われると、内袋３内の発熱性組成物２に多量の空気が接触して発熱性組成物２が効果的に発熱するので、発熱具１の発熱温度を大きく上げることができる。
【００２４】
そのため、発熱性組成物２に多くの空気を接触させて発熱量を大きくするためには、内袋３を通気する空気の量を大きくすることが好ましいが、本発明者は、この内袋３を通気する空気の量を大きくするには、空気吸放出材４内の空間の体積Ｖ２と、内袋３の内部空間の体積Ｖ１との相対比（内袋３の内部空間の体積Ｖ１に占める空気吸放出材４内の空間の体積Ｖ２の割合Ｖ２／Ｖ１）が重要なファクターであり、さらに、前記割合Ｖ２／Ｖ１が所定値以上となっていれば、発熱性組成物２の発熱量を最大限に大きくするのに十分な量の空気が内袋３を通気し、発熱具１の発熱温度を非常に高い温度にできることを見出した。
【００２５】
そこで、内袋３により多くの空気を通気させて、発熱性組成物２の発熱量を最大限に大きくするために、本発明では、内袋３の内部空間の体積Ｖ１に占める空気吸放出材４内の空間の体積Ｖ２の割合Ｖ２／Ｖ１を０．１１以上とすることを特徴としている。
【００２６】
この空気吸放出材４としては、例えば、多孔質体を好ましく用いることができる。多孔質体は、内部に小孔、割れ目、空隙などの空間を有する構造のものであり、この空間内に空気が含まれていて、収縮変形に伴い前記空間内の空気を外部に放出し、膨張変形に伴い外部の空気を前記空間内に吸い込む。多孔質体が弾力性を有することで、外力の付加により変形（収縮あるいは膨張）させた多孔質体を、外力の除去に伴い自動的に復元（膨張あるいは収縮）させることができる。
【００２７】
この弾力性を有する多孔質体としては、例えば、図４に示すように、スポンジ４０を好ましく挙げることができる。スポンジ４０としては、ウレタン樹脂、メラミン樹脂などの合成樹脂材料を主原料とする合成スポンジ、海綿、セルロースなどの天然材料を主原料とする天然スポンジ、合成ゴム、天然ゴムなどのゴム材料を主原料とするゴムスポンジなど、種々のスポンジを用いることができる。この中でもウレタンスポンジを用いることが好ましい。ウレタンスポンジは、細かい孔がつまっており、柔軟性があって高い弾力性（復元性）を有しているうえ、安価に市販されているものを用いることができる。
【００２８】
スポンジ４０の寸法は、内袋３の内部空間の体積Ｖ１に占めるスポンジ４０内の空間の体積Ｖ２の割合Ｖ２／Ｖ１が０．１１以上でありかつ内袋３に封入できるものであれば、特に限定されるものではない。スポンジ４０は、図４（Ａ）に示すように、所定の体積を有する１つの大きなスポンジを内袋３に封入してもよいし、図４（Ｂ）に示すように、前記大きなスポンジを複数（図示例では２つ）の小さなスポンジに分けて内袋３に封入してもよい。なお、複数のスポンジ４０を内袋３に封入した場合は、封入した全てのスポンジ４０の前記空間の体積が空気吸放出材４の前記空間の体積Ｖ２となる。また、スポンジ４０の形状も特に限定されるものではなく、直方体状、立方体状、球状、楕円球状、柱状など、種々の形状とすることができる。
【００２９】
空気吸放出材４として多孔質体を用いた場合の多孔質体内の空間の体積Ｖ２は、例えば図５に示すように、水を張った水槽１０中に、水を満たした状態のメスシリンダー１１を沈めた後（図５（Ａ））、メスシリンダー１１を逆さにして水槽１０中に固定する（図５（Ｂ））。そして、メスシリンダー１１の下方まで静かに多孔質体（例えばスポンジ４０）を移動させ（図５（Ｃ））、多孔質体（例えばスポンジ４０）を圧縮することにより、多孔質体（例えばスポンジ４０）内に保持されている空気をメスシリンダー１１内に吐き出して、その空気量を測定する（図５（Ｄ））。上述した各工程（Ａ）〜（Ｄ）を５回繰り返して、測定した空気量の平均を求めることで、多孔質体の空間の体積Ｖ２を算出することができる。
【００３０】
なお、多孔質体内の空間の体積Ｖ２を測定する方法は、図５を用いて説明した方法に限定されるものではなく、他の方法を用いることもできる。例えば、その他の測定方法としては、水を張ったビーカーを電子天秤の上に載せ、ビーカー内に多孔質体を水中で浮遊させた状態で固定して、その重さを量る。多孔質体を水中で浮遊させるには、多孔質体が水に浮くものであれば、多孔質体に重りを付けて水中に沈めることで浮遊させ、多孔質体が水に浮かないものであれば、多孔質体を吊り具などで吊り下げ状態で水中で支持することで浮遊させることができる。そして、この水中で浮遊した状態の多孔質体を圧縮することにより、多孔質体内に保持されている空気が抜け出た後の重さを量り、圧縮前後の重さの変化を計測することで、この重量変化から多孔質体の空間の体積Ｖ２を算出することができる（１ｇ＝１ｃｍ３）。
【００３１】
空気吸放出材４は、必ずしもスポンジなどの多孔質体に限られるものではない。例えば、空気吸放出材４としては、弾力性を有する中空体を用いることもできる。中空体は、内部に空間を有するとともに、前記空間と外部とを連通する連通口を少なくとも１つ有する構造のものであり、この空間内に空気が含まれていて、前記空間内の空気が収縮変形により連通口を介して外部に放出され、膨張変形により外部の空気が前記空間内に吸い込まれる。中空体が弾力性を有することで、外力の付加により変形（収縮あるいは膨張）させた中空体を、外力の除去に伴い自動的に復元（膨張あるいは収縮）させることができる。この弾力性を有する中空体は、ゴム材料や合成樹脂材料で形成することができる。
【００３２】
空気吸放出材４として中空体を用いた場合の中空体内の空間の体積Ｖ２は、例えば、まず、電子天秤を用いて、中身が空の状態の中空体の重さを量る。そして、水を充填したシリンジで中空体内に水を入れて中空体内に水を充満させ、連通口から水が噴出した時点の中空体の重さを量ることで、中空体内に充填された水量を算出する。この算出した水量を中空体の体積Ｖ２として算出することができる（１ｇ＝１ｃｍ３）。
【００３３】
中空体の形状は特に限定されるものではなく、袋状、箱状、筒状、蛇腹状、球状など、種々の形状とすることができる。中空体の寸法も内袋３の内部空間の体積Ｖ１に占める空気吸放出材４の前記空間の体積Ｖ２の割合Ｖ２／Ｖ１が０．１１以上でありかつ内袋３に封入できるものであれば、特に限定されるものではない。なお、中空体は、内袋３に複数封入することもでき、複数の中空体を内袋３に封入した場合は、封入した全ての中空体の前記空間の体積が空気吸放出材４の前記空間の体積Ｖ２となる。
【００３４】
なお、上述した多孔質体や中空体は、平常時は平べったくつぶれた状態をなし、外力の付加で膨張して外部の空気を内部に吸い込んで含ませ、外力の除去で収縮して内部の空気を外部に放出するものであってもよい。
【００３５】
上述した構成の発熱具１によると、使用時に使用者が発熱具１を手に持って揉むことで、空気吸放出材４から吸放出される空気が内袋３内の発熱性組成物２に接触して発熱性組成物２が発熱する。このとき、内袋３の内部空間の体積Ｖ１に占める空気吸放出材４の前記空間の体積Ｖ２の割合Ｖ２／Ｖ１が０．１１以上となっていることで、発熱性組成物２の発熱量を最大限に大きくでき、発熱具１の発熱温度を非常に高温にすることができる。よって、発熱具１を使用する環境の温度が低くても、高い発熱温度により良好に温熱を与えることができる。
【００３６】
一方で、発熱具１を使用しないとき（例えばポケットなどに入れているだけのとき）や高温環境下で発熱具１を揉まずに使用するときは、発熱性組成物２には穿孔を介して内袋３の内部に通気する空気だけが接触するので、発熱性組成物２の発熱が抑えられて、発熱具１の発熱温度は大きく上がらず、発熱具１が高温にならない。
【００３７】
このように、上述した構成の発熱具１では、必要な時に発熱温度を大きく上げることができ、それ以外では、発熱温度の過度の上昇を抑えることができるので、使用場面や使用環境に応じて適温に調節することができる。
【００３８】
さらに、上述した構成の発熱具１によると、内袋３の通気性を高めることなく発熱温度を上げているので、内袋３を構成する合成樹脂フィルムに設ける穿孔の大きさ・数を増大させる必要がなく、よって、内袋３の内部の発熱性組成物２が内袋３から漏れ出すことも防止できる。
【００３９】
以上、本発明の実施形態について説明したが、本発明は上記実施形態に限定されるものではなく、本発明の趣旨を逸脱しない限りにおいて種々の変更が可能である。
【００４０】
例えば、上記実施形態では、空気吸放出材４は、内袋３の内部に封入されているが、内袋３に一体化されていてもよい。具体的には、内袋３の通気性を有する第１シート材３０の内側（発熱性組成物２側）あるいは外側の面に取り付けてもよい。また、図６に示すように、第１シート材３０を樹脂フィルム３０Ｂに織布又は不織布３０Ａを積層する積層体により構成した場合には、織布又は不織布３０Ａと樹脂フィルム３０Ｂとの間に介在させてもよい。
【００４１】
また、上記実施形態では、内袋３は平面視で長方形状であるが、長方形状に限らず、正方形状、円形状、楕円形状、例えば六角形状などの多角形状など、他の種々の形状とすることができる。
【００４２】
また、上記実施形態では、内袋３の発熱性組成物２の封入空間が１つだけ設けられているが、複数の封入空間が区画されて設けられていてもよい。
【実施例】
【００４３】
以下、本発明の実施例について説明する。なお、本発明は、以下の実施例に限定されるものではない。
【００４４】
まず、実施例として、鉄粉５３％、活性炭１２％、バーミキュライト２．６％、吸水性樹脂２．５％、食塩１．６％及び水２８．３％を含む発熱性組成物を、内袋の体積１６６．３９ｃｍ３に対して充填体積が６６．９０２ｃｍ３（５６．９ｇに相当）となるように、穿孔されたナイロン不織布／ポリエチレン樹脂製の通気性を有する内袋（寸法：１３０ｍｍ×９５ｍｍ）に収容した。また、空気吸放出材として所定寸法のウレタンスポンジ（コーナン商事株式会社輸入販売元の「カットスポンジハードＳＲ０１−４５８５（ウレタンフォーム」）を内袋に収容して、封をして発熱具を得た。その後、すばやく発熱具を非通気性の外袋に収納した。なお、ウレタンスポンジは、それぞれ、寸法（横×縦×厚み）が６０ｍｍ×８０ｍｍ×１０ｍｍ（実施例１）、６０ｍｍ×６０ｍｍ×１０ｍｍ（実施例２）、６０ｍｍ×４０ｍｍ×１０ｍｍ（実施例３）のものを用意し、それぞれを別の内袋に収容して３種類の発熱具を作製した。また、比較例１として、寸法（横×縦×厚み）が、６０ｍｍ×２０ｍｍ×１０ｍｍのウレタンスポンジを内袋に収容した以外は実施例と同様にした発熱具を作製した。さらに、スポンジを内袋に封入しない以外は実施例と同様にして、比較例２の発熱具を作製した。
【００４５】
ここで、内袋の体積Ｖ１は、まず、電子天秤を用いて、中身が空の状態の内袋を用意してその重さを量る。そして、水を充填したシリンジの針で内袋の上部を刺して内袋内に水を入れて内袋内に水を充満させ、内袋の表裏面の穿孔から水が噴出した時点の内袋の重さを量ることで、内袋内に充填された水量を算出する。この算出した水量が１６６．３９ｇであったため、この水量を内袋の体積Ｖ１とした（１ｇ＝１ｃｍ３）。
【００４６】
また、各実施例１〜３及び比較例１において、空気吸放出材としてのスポンジ（多孔質体）内の空間の体積Ｖ２は、それぞれ、３８．４ｃｍ３、２８．８ｃｍ３、１９．２ｃｍ３、９．６ｃｍ３であった。
【００４７】
そのため、各実施例１〜３及び比較例において、内袋３の内部空間の体積Ｖ１に占める空気吸放出材４の前記空間の体積Ｖ２の割合Ｖ２／Ｖ１は、それぞれ、０．２３、０．１７、０．１１、０．０５である。
【００４８】
各実施例１〜３及び比較例１，２の発熱具について、外袋に収納した状態で、温度２０℃±１℃、湿度５５％〜７０％の環境下で１日に保存した。保存後、同じ環境下で、それぞれの発熱具を外袋から取り出して、内袋の表面に温度センサーをテープで貼り付けた後、発熱具の当該温度センサーを貼り付けた面とは逆側の面を手に持ち、５秒間に１回のペースで発熱具を揉みながら、４０分間、発熱具の発熱温度を計測した。その計測結果を図７に示す。
【００４９】
また、実施例２の発熱具について、外袋に収納した状態で、温度５℃の環境下で１日に保存した。保存後、同じ環境下で、それぞれの発熱具を外袋から取り出して、内袋の表面に温度センサーをテープで貼り付けた後、発熱具の当該温度センサーを貼り付けた面とは逆側の面を手に持ち、５秒間に１回のペースで発熱具を揉みながら、５０分間、発熱具の発熱温度を計測した。その計測結果を図８に示す。
【００５０】
また、実施例１の発熱具について、外袋に収納した状態で、温度２０℃±１℃、湿度５５％〜７０％の環境下で１日に保存した。保存後、同じ環境下で、発熱具を外袋から取り出して、内袋の表面に温度センサーをテープで貼り付けた後、発熱具を手に持ち、５秒間に１回のペースで１５分間、発熱具を揉んだ後、２０分間、発熱具を揉まずに手の上に載置し、その後、再び５秒間に１回のペースで１５分間、発熱具を揉みながら、発熱具の発熱温度を計測した。その計測結果を図９に示す。
【００５１】
図７から明らかなように、内袋に空気吸放出材を収容した実施例１〜３及び比較例１は、比較例２よりも発熱具の発熱温度が大きくなるが、その中でも、実施例１〜３は、比較例１より発熱具の発熱温度が大きく上がっており、全てについて８０℃近くまで発熱具の発熱温度が上がっていることが確認された。発熱性組成物に含まれる鉄粉の酸化温度が約８０〜８５℃であることから、実施例１〜３のように、内袋３の内部空間の体積Ｖ１に占める空気吸放出材４の前記空間の体積Ｖ２の割合Ｖ２／Ｖ１が０．１１以上であれば、発熱性組成物に空気が十分量供給されて、発熱性組成物の発熱量を最大限に大きくでき、発熱具の発熱温度を非常に高温にできることが確認された。
【００５２】
また、図８から明らかなように、低温環境下においても、実施例２の発熱具の発熱温度が７０℃を超えており、発熱具を使用する環境の温度が低くても、高い発熱温度により良好な温熱効果を付与できることが分かった。
【００５３】
また、図９から明らかなように、発熱具を揉むことなく使用しないときは、実施例１の発熱具の発熱温度は約４０℃まで下がることが確認された。よって、使用しないときは発熱温度が大きく上がらず、発熱具が常に高温にはならないことが分かった。
【符号の説明】
【００５４】
１    発熱具
２    発熱性組成物
３    内袋
４    空気吸放出材
【図１】
2019010447.tif 000003
【図２】
2019010447.tif 000004
【図３】
2019010447.tif 000005
【図４】
2019010447.tif 000006
【図５】
2019010447.tif 000007
【図６】
2019010447.tif 000008
【図７】
2019010447.tif 000009
【図８】
2019010447.tif 000010
【図９】
2019010447.tif 000011